(57)【要約】【課題】電気配線の施工性を向上させる空調装置を提供する。【解決手段】浴室空調装置１Ａは、ファンやヒータを備え、電源が供給されて駆動される空調装置本体２Ａと、外部からの配線が接続される複数の接続端子３０Ａを有し、空調装置本体２Ａからの配線３１が接続端子３０Ａに接続されて、空調装置本体２Ａから独立した中継端子台３ａを備え、中継端子台３Ａが、浴室１０１の天井パネル１０２に設けられた点検口１０５の近傍に設置される。【選択図】        図１
2008241206.tif 000002
【特許請求の範囲】
【請求項１】
電源が供給されて駆動される空調装置本体と、
外部からの配線が接続される単数または複数の接続端子を有し、前記空調装置本体からの配線が前記接続端子に接続されて、前記空調装置本体から独立した中継端子台とを備え、
前記中継端子台は、前記空調装置本体が設置される建築構造物に設けられた点検口の近傍に設置される
ことを特徴とする空調装置。
【請求項２】
電源が供給されて駆動される空調装置本体と、
少なくとも外部からの電源の配線が接続される接続端子を有し、前記空調装置本体からの電源の配線が前記接続端子と接続されて、前記空調装置本体から独立した中継機器と、
前記中継機器に設けられ、前記配線の状態の変化を検知する状態検知手段とを備えた
ことを特徴とする空調装置。
【請求項３】
前記状態検知手段は、温度を検知する温度検知手段である
ことを特徴とする請求項２記載の空調装置。
【請求項４】
前記状態検知手段として、前記中継機器で温度を検知する温度検知手段と、所定の温度上昇で前記空調装置本体への電源を切断する電源切断手段とを備えた
ことを特徴とする請求項２記載の空調装置。
【請求項５】
前記状態検知手段として、前記中継機器で温度を検知する第１の温度検知手段を備えると共に、
前記空調装置本体に設けられ、前記空調装置本体に対する前記配線の接続箇所の温度を検知する第２の温度検知手段を備えた
ことを特徴とする請求項２記載の空調装置。
【請求項６】
前記状態検知手段で所定の状態の変化を検知すると、前記空調装置本体の運転を停止する制御手段を備えた
ことを特徴とする請求項２記載の空調装置。
【請求項７】
前記制御手段は、前記状態検知手段の検知結果に基づいて、前記空調装置本体の運転を開始するようにした
ことを特徴とする請求項６記載の空調装置。
【請求項８】
前記中継機器は、金属ケースで覆われ、取付脚を介して浮かせて設置される
ことを特徴とする請求項２〜７に何れか記載の空調装置。
【発明の詳細な説明】
【技術分野】
【０００１】
本発明は、浴室や洗面脱衣所に設置され、室内の暖房等を行う空調装置における配線の接続構造に関する。
【背景技術】
【０００２】
浴室に設置されて浴室の暖房や建物の換気を行う空調装置が従来より提案されている。このような空調装置は、浴室の天井に設置される構成で、電源の配線は、分電盤からの配線を、天井裏を通して空調装置に直接接続する形態である。
【０００３】
また、空調装置を操作するリモートコントロール装置等の配線も、空調装置に直接接続する形態である。
【０００４】
そして、空調装置の本体に備えられた配線が接続される端子に、温度上昇で切断される温度ヒューズを備え、空調装置への配線の接続が不完全な場合等に、電源を遮断できるようにした装置が提案されている（例えば、特許文献１参照）。
【０００５】
【特許文献１】特開２００５−１０６３９２号公報
【発明の開示】
【発明が解決しようとする課題】
【０００６】
浴室の天井に設置される空調装置では、浴室の天井に設けられた点検口から、天井裏の空間で装置本体への配線の結線作業を行う必要がある。しかし、装置本体の設置位置や設置の向きによって、装置本体の端子が点検口に向いていない場合、施工性が悪くなるという問題がある。
【０００７】
このため、電源の配線を予め装置本体に接続しておき、分電盤からの配線と途中で結線するような工法が施工現場で採られている場合もある。しかし、このような結線の形態では、接続の不具合を発見するのが困難で、装置本体に備えた温度ヒューズも十分に機能しない。
【０００８】
本発明は、このような課題を解決するためになされたもので、電気配線の施工性を向上させると共に、接続の不具合を検知可能とした空調装置を提供することを目的とする。
【課題を解決するための手段】
【０００９】
上述した課題を解決するため、本発明の空調装置は、電源が供給されて駆動される空調装置本体と、外部からの配線が接続される単数または複数の接続端子を有し、空調装置本体からの配線が接続端子に接続されて、空調装置本体から独立した中継端子台とを備え、中継端子台は、空調装置本体が設置される建築構造物に設けられた点検口の近傍に設置されることを特徴とする。
【００１０】
本発明の空調装置では、空調装置本体に接続される外部からの配線は、中継端子台の接続端子に接続される。中継端子台は、空調装置本体が設置される建築構造物に設けられた点検口の近傍に設置され、空調装置本体の設置位置や設置の向きによらず、配線の接続作業は点検口の近傍で行われる。
【００１１】
また、本発明の空調装置は、電源が供給されて駆動される空調装置本体と、少なくとも外部からの電源の配線が接続される接続端子を有し、空調装置本体からの電源の配線が接続端子と接続されて、空調装置本体から独立した中継機器と、中継機器に設けられ、配線の状態の変化を検知する状態検知手段とを備えたことを特徴とする。
【００１２】
本発明の空調装置では、外部からの電源配線は、中継機器の接続端子に接続され、空調装置本体からの電源の配線と中継機器で接続される。中継機器では、電源等の配線の状態の変化が状態検知手段で検知され、例えば、中継機器における配線の接続箇所の温度の上昇が検知される。
【発明の効果】
【００１３】
本発明の空調装置によれば、電源等の外部からの配線の接続作業を点検口の近傍に設置した中継端子台で行うことができるので、点検口に対する空調装置本体の設置位置や設置の向きによらず、結線作業の作業性が向上すると共に、作業後の確認が容易かつ確実に行なえる。これにより、作業ミスを大幅に低減することができる。
【００１４】
また、本発明の空調装置によれば、電源等の配線の状態の変化から、配線の接続箇所等の不具合を検知することができる。これにより、電源の遮断やユーザへの報知を行うことが可能となり、安全性を向上させることができる。
【発明を実施するための最良の形態】
【００１５】
以下、図面を参照して本発明の浴室空調装置の実施の形態について説明する。
【００１６】
＜第１の実施の形態の浴室空調装置の構成例＞
図１は、第１の実施の形態の浴室空調装置の一例を示す構成図で、図１（ａ）は、第１の実施の形態の浴室空調装置１Ａ及び浴室空調装置１Ａが設置される浴室１０１の構成の概要を示す断面図、図１（ｂ）は、浴室空調装置１Ａ及び浴室空調装置１Ａが設置される浴室１０１の天井パネル１０２の構成の概要を示す平面図である。
【００１７】
第１の実施の形態の浴室空調装置１Ａは、空調装置本体２Ａと、中継端子台３Ａを備える。空調装置本体２Ａは、図示しないファンと電気ヒータ等を備え、浴室１０１の空気を吸い込んで循環させて、温風等を吹き出す機能と、浴室１０１から吸い込んだ空気を屋外に排気する機能等を有する。
【００１８】
建築構造物である浴室１０１の天井パネル１０２には、空調装置本体２Ａが入る開口部が形成され、空調装置本体２Ａは、空気が吸い込まれる吸込口グリルや空気が吹き出される吹出口グリルが形成されたフロントパネル２０が露出するようにして、天井裏から吊り下げる形態、あるいは天井パネル１０２に固定する形態等で設置される。
【００１９】
浴室１０１の天井パネル１０２に取り付けられた空調装置本体２Ａは、図示しない排気口に排気ダクト２１が接続される。排気ダクト２１は、建物の外壁１０３に取り付けた屋外グリル２１ａに接続され、空調装置本体２Ａで浴室１０１等から吸い込んだ空気を、排気ダクト２１を介して屋外に排気できる構成となっている。
【００２０】
浴室１０１は、天井パネル１０２に開閉可能な点検口１０５が設けられ、点検口１０５から、排気ダクト２１の接続工事や、空調装置本体２Ａの各種点検等が行われる。
【００２１】
浴室空調装置１Ａは、入浴者等の操作を受ける主操作部４が、浴室１０１に隣接した洗面脱衣所１０４に設置され、主操作部４で選択された運転モードが実行される。
【００２２】
例えば、主操作部４の所定の操作で、浴室空調装置１Ａで循環風により温風を吹き出して、浴室１０１の暖房を行う暖房運転モードが実行される。また、浴室空調装置１Ａで浴室１０１内の空気を屋外に排出して、浴室１０１の換気を行う換気運転モード、及び、所定時間で建物の空気が入れ替えられる風量で換気を行う２４時間換気運転モードが実行される。
【００２３】
更に、浴室空調装置１Ａで循環風により温風を吹き出しながら、浴室１０１内の空気を屋外に排出して、浴室１０１に干された衣類等の乾燥を行う乾燥運転モードと、浴室空調装置１Ａで循環風により送風を吹き出す涼風運転モードが実行される。
【００２４】
中継端子台３Ａは、空調装置本体２Ａとは独立した部品で、浴室空調装置２Ａの構成に合わせて単数または複数の接続端子３０Ａを備える。接続端子３０Ａは、例えば、ケーブルの被覆が剥がされた芯線が挿入されて固定される構造のものや、着脱可能なコネクタ等が配線の種類に応じて設けられている。また、外部からの配線の接続が、矢印Ａで示す１方向から行えるように、中継端子台３Ａ上における向きが設定されている。そして、中継端子台３Ａは、空調装置本体２Ａの設置位置によらず、点検口１０５の近くで、かつ、各接続端子３０Ａを点検口１０５に向けて設置される。
【００２５】
空調装置本体２Ａは、例えばケースの上面に外部端子台２２を備え、外部端子台２２に備えられた接続端子２３と中継端子台３Ａの対応する接続端子３０Ａがそれぞれ配線３１で接続されて、空調装置本体２Ａ内の図示しない基板ボックス等に収納された基板と、中継端子台３Ａの各接続端子３０Ａが電気的に接続される。
【００２６】
浴室空調装置１Ａは、主操作部４からの配線４０Ａが、中継端子台３Ａの所定の接続端子３０Ａと接続される。
【００２７】
また、浴室空調装置１Ａは、図示しない分電盤からの電源配線４０Ｂが、中継端子台３Ａの所定の接続端子３０Ａと接続される。
【００２８】
なお、中継端子台３Ａには、浴室空調装置１Ａと連動させる外部機器が接続される接続端子３０Ａが用意される。例えば、浴室空調装置１Ａが図示しない他室の換気ファンと連動する構成では、換気ファンとつながる外部配線４０Ｃが中継端子台３Ａの所定の接続端子３０Ａと接続される。更に、浴室１０１を加湿する図示しないミスト発生装置と連動する構成では、ミスト発生装置とつながる外部配線４０Ｃが中継端子台３Ａの所定の接続端子３０Ａと接続される。
【００２９】
このように、浴室空調装置１Ａは、運転に必要な主操作部４や電源に加え、連動させる外部機器との電気的接続が、中継端子台３Ａを介して行える構成である。
【００３０】
さて、浴室空調装置１Ａは、浴室１０１の浴槽１０１ａや洗い場１０１ｂの配置や広さ等に応じて設置場所や設置の向きが決められ、空調装置本体２Ａの外部端子台２２が点検口１０５に向かない場合がある。浴室１０１の天井裏の高さ方向の寸法は、例えば２５０ｍｍ程度であり、空調装置本体２Ａの外部端子台２２が点検口１０５に向いていないと、天井裏での外部端子台２２への結線作業は困難である。
【００３１】
これに対して、空調装置本体２Ａの外部端子台２２と中継端子台３Ａを配線３１で接続し、中継端子台３Ａを点検口１０５の近くに設置して、主操作部４や電源、連動させる外部機器との電気的接続を、中継端子台３Ａを介して行うことで、空調装置本体２Ａの設置位置や設置の向きによらず、点検口１０５の近くで結線作業が行える。
【００３２】
また、中継端子台３Ａの各接続端子３０Ａが点検口１０５に向けて設置されることで、結線作業及び作業後の確認が容易かつ確実に行なえる。これにより、浴室空調装置１Ａの設置作業で、特に電気配線の結線作業を容易かつ確実に行なえ、作業ミスを大幅に低減することができる。
【００３３】
なお、接続端子３０Ａに、各配線４０が正常に接続されると、色分けされたピンが突出する等、視覚的に確認できる手段を備えても良い。
【００３４】
ここで、空調装置本体２Ａの外部端子台２２に備えた接続端子２３も、配線の着脱ができる構成であれば、空調装置本体２Ａと中継端子台３Ａとの距離に合わせて、予め適切な長さの配線３１で空調装置本体２Ａと中継端子台３Ａとを接続して、配線３１の過不足を無くすことができる。
【００３５】
図２は、第１の実施の形態の浴室空調装置の変形例を示す構成図で、一方、図２に示すように、中継端子台３Ａの接続端子３０Ａと接続される各配線３１が空調装置本体２Ａ内に導入され、図示しない基板と直接接続される形態でも良い。
【００３６】
＜第２の実施の形態の浴室空調装置の構成例＞
従来の浴室空調装置では、電源配線は分電盤から空調装置本体の外部端子台に直接接続する構成であった。しかし、外部端子台が天井パネルの点検口に向いていない場合等は、施工性が悪く、施工性の悪さに起因して接続作業の作業ミスが発生する可能性があった。
【００３７】
そこで、第１の実施の形態の浴室空調装置１Ａのように、点検口１０５の近くに中継端子台３Ａを設置し、中継端子台３Ａを介して電源配線等を接続する構成とすれば、施工性が向上し、接続作業のミスを低減することが可能となる。
【００３８】
一方、浴室空調装置に接続される配線の中で、電源配線は高電流が流れるので、接続作業のミスがあった場合等に、接続部分の温度が高くなってしまうことがある。
【００３９】
そこで、第２の実施の形態の浴室空調装置では、空調装置本体外での配線中継箇所における温度上昇等の異常を含む状態の変化を検知する状態検知手段を備えて、安全性を向上させる。
【００４０】
図３は、第２の実施の形態の浴室空調装置の一例を示す構成図である。第２の実施の形態の浴室空調装置１Ｂは、空調装置本体２Ｂと、中継機器３Ｂを備える。空調装置本体２Ｂは、図示しないファンと電気ヒータ等を備え、浴室１０１の空気を吸い込んで循環させて、温風等を吹き出す機能と、浴室１０１から吸い込んだ空気を屋外に排気する機能等を有する。
【００４１】
浴室１０１の天井パネル１０２には、空調装置本体２Ｂが入る開口部が形成され、空調装置本体２Ｂは、空気が吸い込まれる吸込口グリルや空気が吹き出される吹出口グリルが形成されたフロントパネル２０が露出するようにして、天井裏から吊り下げる形態、あるいは天井パネル１０２に固定する形態等で設置される。
【００４２】
浴室１０１の天井パネル１０２に取り付けられた空調装置本体２Ｂは、図示しない排気口に排気ダクト２１が接続される。排気ダクト２１は、建物の外壁１０３に取り付けた屋外グリル２１ａに接続され、空調装置本体２Ｂで浴室１０１等から吸い込んだ空気を、排気ダクト２１を介して屋外に排気できる構成となっている。
【００４３】
浴室１０１は、天井パネル１０２に開閉可能な点検口１０５が設けられ、点検口１０５から、排気ダクト２１の接続工事や、空調装置本体２Ｂの各種点検等が行われる。
【００４４】
浴室空調装置１Ｂは、入浴者等の操作を受ける主操作部４が、浴室１０１に隣接した洗面脱衣所１０４に設置される。主操作部４は、例えば、空調装置本体２Ｂの図示しない基板と接続された配線４０Ｄが直接接続され、浴室空調装置１Ｂは、主操作部４で選択された運転モードが実行される。
【００４５】
例えば、主操作部４の所定の操作で、浴室空調装置１Ｂで循環風により温風を吹き出して、浴室１０１の暖房を行う暖房運転モードが実行される。また、浴室空調装置１Ｂで浴室１０１内の空気を屋外に排出して、浴室１０１の換気を行う換気運転モード、及び、所定時間で建物の空気が入れ替えられる風量で換気を行う２４時間換気運転モードが実行される。
【００４６】
更に、浴室空調装置１Ｂで循環風により温風を吹き出しながら、浴室１０１内の空気を屋外に排出して、浴室１０１に干された衣類等の乾燥を行う乾燥運転モードと、浴室空調装置１Ｂで循環風により送風を吹き出す涼風運転モードが実行される。
【００４７】
中継機器３Ｂは、空調装置本体２Ｂとは独立した部品で、天井パネル１０２の点検口１０５の近くに設置され、本例では、空調装置本体２Ｂと図示しない分電盤との間で電源配線４１が中継される。
【００４８】
図４は、中継機器の一例を示す構成図で、図４（ａ）は、本実施の形態の中継機器３Ｂの側断面図、図４（ｂ）は、本実施の形態の中継機器３Ｂの平面断面図である。
【００４９】
中継機器３Ｂは、接続端子３０Ｂと、温度センサ３２ａと、温度ヒューズ３２ｂと、接続端子３０Ｂ、温度センサ３２ａ及び温度ヒューズ３２ｂが実装される基板３３と、基板３３を収容するケース３４を備える。
【００５０】
接続端子３０Ｂは、例えば、ケーブルの被覆が剥がされた芯線が挿入されて固定される構造で、空調装置本体２Ｂからの電源配線４１Ａと、図示しない分電盤からの電源配線４１Ｂが接続される。分電盤からの電源配線４１Ｂは、施工現場（浴室）で接続されるので、接続端子３０Ｂは、電源配線４１Ｂの接続作業が容易に行なえるような構成を備えると良い。
【００５１】
また、基板３３には、接続端子３０Ｂに接続された電源配線４１Ａと電源配線４１Ｂを固定する結束部材３３ａが備えられ、接続端子３０Ｂに接続された電源配線４１Ａと電源配線４１Ｂが不用意に動くことを防止して、接続が外れることを防ぐ。
【００５２】
温度センサ３２ａは状態検知手段である温度検知手段または第１の温度検知手段の一例で、例えば、電源配線４１Ａ，４１Ｂ等に電流が流れることによる状態の変化を、中継機器３Ｂのケース３４内の温度、主に、接続端子３０Ｂの温度で検知する。
【００５３】
このため、基板３３は、接続端子３０Ｂの設置箇所の裏面に開口部３３ｂが形成され、温度センサ３２ａは、基板３３の開口部３３ｂに入れて例えば接続端子３０Ｂに接触させて設置される。なお、主な温度検知対象物である接続端子３０Ｂに対して、温度センサ３２ａを上側に配置して、接続端子３０Ｂで発生して上昇する熱を温度センサ３２ａで検知しやすい状態にする。
【００５４】
温度センサ３２ａは、空調装置本体２Ｂ内の図示しない基板ボックス等に収納された基板と信号配線４２で接続され、温度センサ３２ａの出力が、浴室空調装置１Ｂの後述する制御手段に出力される。
【００５５】
温度ヒューズ３２ｂは電源切断手段の一例で、空調装置本体２Ｂからの電源配線４１Ａと接続端子３０Ｂとの間を接続して導通させると共に、所定の温度で切断して、空調装置本体２Ｂへの電源を切断する。
【００５６】
ケース３４は、金属等の不燃材料で形成され、電源配線４１Ａ，４１Ｂと、信号配線４２の取り出し口以外は開口部を設けずに、内部に空気が入りにくい構成となっている。
【００５７】
基板３３は、脚部３４ａを介してケース３４に取り付けられ、ケース３４に直接接触しないように浮かせてある。また、図３に示すように、ケース３４は、取付脚３４ｂを介して浴室１０１の天井パネル１０２に設置され、中継機器３Ｂは、ケース３４が天井パネル１０２及び天井裏の上面に直接接しないように浮かせてある。
【００５８】
空調装置本体２Ｂは、例えばケースの上面に外部端子台２２を備え、外部端子台２２に備えられた電源接続端子２４と、中継機器３Ｂの接続端子３０Ｂが電源配線４１Ａで接続される。
【００５９】
浴室空調装置１Ｂは、外部端子台２２の電源接続端子２４に温度ヒューズ２５を備える。温度ヒューズ２５は電源切断手段を構成する第２の温度検知手段の一例で、電源接続端子２４と図示しないヒータとを接続し、所定の温度で切断して、ヒータに電流が流れないようにする。
【００６０】
＜第２の実施の形態の浴室空調装置の制御機能例＞
図５は、第２の実施の形態の浴室空調装置の機能ブロック図で、次に、第２の実施の形態の浴室空調装置１Ｂの制御機能の一例について説明する。
【００６１】
浴室空調装置１Ｂは、空調装置本体２Ｂに備えた図示しない基板に実装されるＣＰＵや回路構成等で制御手段である主制御部５が実現される。浴室空調装置１Ｂは、空気を加熱するヒータ５１と、空気を送風するファンを駆動するファンモータ５２を空調装置本体２Ｂに備え、主制御部５は、ヒータ５１の通電制御及びファンモータ５２の動作制御を行う。
【００６２】
また、浴室空調装置１Ｂは、空調装置本体２Ｂに報知手段としてのブザー５３を備え、主制御部５は、ブザー５３による警報音の発生制御を行う。
【００６３】
更に、主制御部５は、不揮発性の記憶手段であるＥＥＰＲＯＭ５４が接続され、タイマ５５を利用して時刻情報と共に異常発生のログ等をＥＥＰＲＯＭ５４に記録する。
【００６４】
浴室空調装置１Ｂは、主操作部４で操作ボタンが押されたことによる操作情報が主制御部５に入力され、主制御部５は、予め記憶されているプログラムに従ってヒータ５１とファンモータ５２を制御する。
【００６５】
また、主操作部４には、報知手段であるブザー５６と表示手段である表示部５７が備えられ、主制御部５は、ブザー５６による警報音の発生制御と表示部５７での表示制御を行う。
【００６６】
そして、主制御部５は、中継機器３Ｂの温度センサ３２ａで検知された温度情報が入力され、中継機器３Ｂ内の温度、主に、電源配線４１の接続箇所の温度に応じて運転を停止する制御を実行する。
【００６７】
＜第２の実施の形態の浴室空調装置の動作例＞
図６は、第２の実施の形態の浴室空調装置の動作の一例を示すフローチャートで、次に、各図を参照して電源配線の接続箇所での温度検知と浴室空調装置での運転停止の動作について説明する。
【００６８】
ステップＳＡ１：浴室空調装置１Ｂは、中継機器３Ｂの温度センサ３２ａの出力を主制御部５で随時または定期的に検知する。
【００６９】
ステップＳＡ２：主制御部５は、温度センサ３２ａからの出力を検知した結果に基づき、温度センサ３２ａが正しく接続されていない等で、温度センサ３２ａからの出力信号が無い場合は、浴室空調装置１Ｂを作動させず、温度センサ３２ａからの出力信号が有る場合は、温度センサ３２ａが正しく接続されていると判断して、浴室空調装置１Ｂを作動させる。
【００７０】
ステップＳＡ３：主制御部５は、温度センサ３２ａの出力から中継機器３Ｂ内の温度、主に、電源配線４１の接続箇所の温度上昇の有無を監視する。
【００７１】
ステップＳＡ４：上述したステップＳＡ３で温度センサ３２ａによる検知温度が所定の上限温度を超えると、主制御部５はヒータ５１への通電を停止させると共に、ファンモータ５２の動作も停止させ、浴室空調装置１Ｂの運転を停止する。
【００７２】
すなわち、浴室空調装置１Ｂで暖房運転モードまたは乾燥運転モードの実行中は、ヒータ５１に通電することで電源配線４１に高電流が流れており、過度な温度上昇を助長させる可能性があるので、温度センサ３２ａでの中継機器３Ｂ内の検知温度が上限温度を超えると、ヒータ５１への通電を停止して、温度上昇を抑える。
【００７３】
ステップＳＡ５：主制御部５は、温度センサ３２ａによる検知温度が所定の上限温度を超えて、浴室空調装置１Ｂの運転を停止させると、空調装置本体２Ｂに備えたブザー５３及び主操作部４に備えたブザー５６を動作させ、警報音を発生させる。
【００７４】
ステップＳＡ６：主制御部５は、温度センサ３２ａによる検知温度が所定の上限温度を超えて、浴室空調装置１Ｂの運転を停止させると、主操作部４の表示部５７にエラー表示を行う。
【００７５】
ステップＳＡ７：主制御部５は、温度センサ３２ａによる検知温度が所定の上限温度を超えて、浴室空調装置１Ｂの運転を停止させると、異常検知フラグと異常発生時刻をＥＥＰＲＯＭ５４に記録して、後の原因究明でエラー情報を参照できるようにする。
【００７６】
ステップＳＡ８：主制御部５は、主操作部４または空調装置本体２Ｂに備えた図示しないリセットボタンの操作を監視する。
【００７７】
ステップＳＡ９：上述したステップＳＡ８でリセットボタンが押されると、主制御部５は、空調装置本体２Ｂに備えたブザー５３及び主操作部４に備えたブザー５６を停止させ、警報音の発生を停止させる。一方、異常検知フラグが記録されている場合は、異常の発生原因が除去されていないので、エラー表示は継続し、浴室空調装置１Ｂの運転停止を継続させる。
【００７８】
これにより、異常の発生原因、本例では、電源配線４１の接続箇所における温度上昇の原因が除去されるまでは、主操作部４を操作しても、浴室空調装置１Ｂは作動せず、電源配線４１の再度の温度上昇を防ぐことができる。
【００７９】
ステップＳＡ１０：修理等で異常の発生原因が除去され、所定のエラー解除操作が行われると、異常検知フラグが解除され、浴室空調装置１Ｂは運転再開可能となる。
【００８０】
ここで、温度センサ３２ａの異常や主制御部５の異常等で、上述した温度検知による運転停止制御が行えない場合に、電源配線４１の温度が上昇すると、中継機器３Ｂに備えた温度ヒューズ３２ｂが所定の温度で切断されることで、ヒータ５１に電流が流れないようになる。
【００８１】
更に、温度センサ３２ａの異常や主制御部５の異常等で、上述した温度検知による運転停止制御が行えない場合に、電源配線４１の温度が上昇すると、空調装置本体２Ｂの外部端子台２２の電源接続端子２４に備えた温度ヒューズ２５が所定の温度で切断して、ヒータ５１に電流が流れないようになる。
【００８２】
そして、通常では、温度ヒューズ３２ｂ及び温度ヒューズ２５の温度上昇による切断前に、温度センサ３２ａでの温度検知により運転が停止するように、温度ヒューズ３２ｂ及び温度ヒューズ２５の切断温度より、温度センサ３２ａでの検知温度の上限温度が低く設定されている。
【００８３】
なお、温度ヒューズ３２ｂまたは温度ヒューズ２５が切断されたことを主制御部５に通知して、ＥＥＰＲＯＭ５４に異常発生箇所を特定する情報として記録できるようにしても良い。
【００８４】
以上説明したように、第２の実施の形態の浴室空調装置１Ｂでは、中継機器３Ｂでの電源配線４１の温度上昇を検知して、検知温度が所定の上限温度を超えた場合、ヒータ５１の通電を停止するので、電源配線４１の接続箇所における温度上昇時に高電流が流れないようにして、電源配線４１の接続箇所での過度の温度上昇を抑えることができる。
【００８５】
このように、電源配線４１の接続箇所等における不具合を検知して、電源の遮断やユーザへの報知を行うことができるので、安全性を向上させることができる。
【００８６】
また、中継機器３Ｂは不燃性のケース３４で覆われ、かつ、ケース３４の内部に空気が入りにくい構成となっているので、不燃性の効果を向上させることができる。
【００８７】
更に、中継機器３Ｂにおいて、電源配線４１を接続する接続端子３０Ｂが実装された基板３３は、脚部３４ａを介してケース３４に取り付けられ、ケース３４は、取付脚３４ｂを介して浴室１０１の天井パネル１０２に設置されるので、電源配線４１の接続箇所で発生した熱が、ケース３４を介して天井パネル１０２に伝わりにくい構成となっている。
【００８８】
なお、以上の例では、温度センサ３２ａで中継機器３Ｂでの電源配線４１の接続箇所の温度を検知して、運転を停止する制御を行うようにしたが、煙センサを利用して運転を停止する制御を行うようにしても良い。
【００８９】
第２の実施の形態の浴室空調装置１Ｂでも、中継機器３Ｂは天井パネル１０２の点検口１０５の近くに設置されるので、空調装置本体２Ｂの設置位置や設置の向きによらず、施工性が向上する。
【００９０】
このため、第１の実施の形態の浴室空調装置１Ａと同様に、中継機器３Ｂを介して、電源配線４１だけでなく、図示しない外部機器の接続を行えるようにしても良い。
【００９１】
また、中継機器３Ｂの接続端子３０Ｂと接続される電源配線４１Ａが空調装置本体２Ｂ内に導入され、図示しない基板と直接接続される形態でも良い。更に、空調装置本体２Ｂと直接接続された電源配線が、第１の実施の形態で説明した中継端子台に接続され、中継端子台から中継機器３Ｂに接続されるような形態でも良い。
【００９２】
更に、主操作部４と空調装置本体２Ｂは、図３に示すように中継機器３Ｂを介さずに直接接続しても良いし、中継機器３Ｂを介して行っても良いし、無線接続でも良い。
【産業上の利用可能性】
【００９３】
本発明は、浴室暖房機や洗面所暖房機等の電気ヒータを内蔵した空調装置に適用される。
【図面の簡単な説明】
【００９４】
【図１】第１の実施の形態の浴室空調装置の一例を示す構成図である。
【図２】第１の実施の形態の浴室空調装置の変形例を示す構成図である。
【図３】第２の実施の形態の浴室空調装置の一例を示す構成図である。
【図４】中継機器の一例を示す構成図である。
【図５】第２の実施の形態の浴室空調装置の機能ブロック図である。
【図６】第２の実施の形態の浴室空調装置の動作の一例を示すフローチャートである。
【符号の説明】
【００９５】
１Ａ，１Ｂ・・・浴室空調装置、２Ａ，２Ｂ・・・空調装置本体、２２・・・外部端子台、２３・・・接続端子、２４・・・電源接続端子、２５・・・温度ヒューズ、３Ａ・・・中継端子台、３Ｂ・・・中継機器、３０Ａ，３０Ｂ・・・接続端子、３１・・・配線、３２ａ・・・温度センサ、３２ｂ・・・温度ヒューズ、３３・・・基板、３４・・・ケース、４・・・主操作部、５・・・主制御部、１０１・・・浴室、１０２・・・天井パネル、１０５・・・点検口
【図１】
2008241206.tif 000003
【図２】
2008241206.tif 000004
【図３】
2008241206.tif 000005
【図４】
2008241206.tif 000006
【図５】
2008241206.tif 000007
【図６】
2008241206.tif 000008